(57)【要約】【課題】より効果的に送風源から供給された空気を集中させることのできる吹出口装置を提供すること。【解決手段】吹出口装置は外筒と、外筒の内側に外筒と同軸で配置される内筒と、外筒の内側、かつ、吹出方向で内筒よりも上流側に設けられ外筒に流入した空気を集中して吹き出す集中状態と空気を拡散して吹き出す拡散状態との間で空気の流れを調整可能な調整機構と、を備える。調整機構は、集中状態のときは記外筒に流入した空気を内筒の内側に誘導し、拡散状態のときは記外筒に流入した空気をそのまま吹き出させる。【選択図】図２
2020079680.tif 000002
【特許請求の範囲】
【請求項１】
外筒と、
該外筒の内側に前記外筒と同軸で配置される内筒と、
前記外筒の内側、かつ、吹出方向で前記内筒よりも上流側に設けられ、前記外筒に流入した空気を集中して吹き出す集中状態と前記空気を拡散して吹き出す拡散状態との間で前記空気の流れを調整可能な調整機構と、を備え、
前記調整機構は、
前記集中状態のときは、前記外筒に流入した空気を前記内筒の内側に誘導し、
前記拡散状態のときは、前記外筒に流入した空気をそのまま吹き出させる、
ことを特徴とする吹出口装置。
【請求項２】
前記外筒は、前記調整機構よりも下流側の内面に形成された螺旋状のリブを有することを特徴とする請求項１に記載の吹出口装置。
【請求項３】
前記外筒の吹出方向下流側端部に設けられた、操作部の操作量に応じた径の絞り開口を形成する絞り開口部をさらに備え、
前記調整機構は、前記操作部の操作量に応じた調整量で、前記外筒に流入した空気を前記内筒の内側に誘導する
ことを特徴とする請求項１または２に記載の吹出口装置。
【請求項４】
前記絞り開口部は、
前記外筒の周に沿って設けた羽根受け部と、
前記羽根受け部の周に沿って摺動可能に設けた、前記操作部として機能する回転体と、
前記羽根受け部に回動可能に支持され、前記回転体の回転に応じた径の絞り開口を形成する複数の絞り羽根と、を含む請求項３に記載の吹出口装置。
【請求項５】
前記調整機構は、複数の切替羽根を有し、
前記複数の切替羽根は、
それぞれの吹出方向上流側端部が前記外筒の内面に周方向にわたって周方向を軸として回動可能に支持され、
それぞれの吹出方向下流側端部により前記調整機構の下流側に前記空気を導入する導入開口を形成し、
前記絞り開口が小さくなる方向に前記回転体が回転するときは、前記導入開口が小さくなる方向に回動する、
ことを特徴とする請求項４に記載の吹出口装置。
【請求項６】
前記回転体の回転により前記内筒を軸方向に移動可能な内筒移動機構をさらに備え、
前記複数の切替羽根は、前記内筒の軸方向の移動に応じて回動する、
ことを特徴とする請求項５に記載の吹出口装置。
【請求項７】
前記絞り開口の最小開口は、前記内筒の開口以上であることを特徴とするし請求項３ないし６のいずれか１項に記載の吹出口装置。
【請求項８】
前記導入開口の最小開口は、前記内筒の開口と同じであることを特徴とする請求項５または６に記載の吹出口装置。
【請求項９】
前記内筒移動機構は、
一端部において前記内筒を支持し、他端部が前記外筒に軸方向に移動可能に支持される支持アームと、
前記回転体から軸方向に延出し、軸方向に対して傾斜した傾斜部を有する延出部と、を含み、
前記他端部が前記傾斜部に当接し、
前記回転体の回転により前記傾斜部が前記他端部を軸方向に移動させる、
ことを特徴とする請求項６に記載の吹出口装置。
【請求項１０】
前記調整機構は、前記内筒から前記複数の切替羽根へそれぞれ延び、前記内筒の軸方向の移動により前記複数の切替羽根を回動させる複数の開閉アームを備えることを特徴とする請求項６に記載の吹出口装置。
【発明の詳細な説明】
【技術分野】
【０００１】
本発明は、例えば車両等の吹出口装置に関する。
【背景技術】
【０００２】
従来、車両のインストルメントパネル等には、空調装置から供給される空気の風向、風量、集中、拡散等を調節する吹出口装置が設けられている。特許文献１には、風通路の中心に設けられた操作体を操作することにより、空調装置から供給された空気の風向、風量、集中、拡散等の調整が可能な吹出口装置が記載されている。
【先行技術文献】
【特許文献】
【０００３】
【特許文献１】特開２００２−１６８５１１号公報
【発明の概要】
【発明が解決しようとする課題】
【０００４】
しかしながら、特許文献１に記載の吹出口装置は風通路の中心に操作体が設けられているため、操作体が妨げとなり空調装置等の送風源から供給された空気を十分に集中させることが困難である。
【０００５】
本発明の目的は、より効果的に空調装置等の送風源から供給された空気を集中させることのできる吹出口装置を提供することにある。
【課題を解決するための手段】
【０００６】
上記目的を達成するために、本発明は、
外筒と、
該外筒の内側に前記外筒と同軸で配置される内筒と、
前記外筒の内側、かつ、吹出方向で前記内筒よりも上流側に設けられ、前記外筒に流入した空気を集中して吹き出す集中状態と前記空気を拡散して吹き出す拡散状態との間で前記空気の流れを調整可能な調整機構と、を備え、
前記調整機構は、
前記集中状態のときは、前記外筒に流入した空気を前記内筒の内側に誘導し、
前記拡散状態のときは、前記外筒に流入した空気をそのまま吹き出させる、
ことを特徴とする。
【発明の効果】
【０００７】
本発明によれば、より効果的に送風源から供給された風を集中させることのできる吹出口装置を提供することができる。
【図面の簡単な説明】
【０００８】
【図１】一実施形態に係る吹出口装置の概略を示す斜視図。
【図２】集中状態における外筒の内部を示す側面図。
【図３】拡散状態における外筒の内部を示す側面図。
【図４】（Ａ）は集中状態における吹出口装置の背面図、（Ｂ）は拡散状態における吹出口装置の背面図。
【図５】（Ａ）は集中状態における吹出口装置の正面図であって回転体を外した状態の図、（Ｂ）は拡散状態における吹出口装置の正面図であって回転体を外した状態の図。
【図６】集中状態における空気の流れを示す模式図。
【図７】拡散状態における空気の流れを示す模式図。
【発明を実施するための形態】
【０００９】
図面を参照して本発明の実施形態に係る吹出口装置１について説明する。なお、以下の説明において、図３、図４（Ｂ）、図５（Ｂ）及び図７は拡散状態の内の１の状態を表したものであり、これらの状態と図２、図４（Ａ）、図５（Ａ）及び図６で示される集中状態との状態の間の状態も拡散状態に含まれる。
【００１０】
＜吹出口装置の概略構成＞
図１は一実施形態のかかる吹出口装置１の概略を示す斜視図である。また、図２は、集中状態における外筒２の内部を示す側面図である。吹出口装置１は、例えば車両のインストルメントパネルや前席中央部等に後方に向けて設けられ、空調装置等の送風源から流入した空気の風向、風量、集中、拡散等を調節し、その空気を車室内に吹き出す装置である。吹出口装置１は、外筒２と、外筒２の内側に配置される内筒３と、外筒２の内側、かつ吹出方向で内筒３よりも上流側に設けられる調整機構４と、外筒２の吹出方向下流側端部に設けられる絞り開口部５と、内筒３を軸方向に移動可能な内筒移動機構６と、を有している。なお、本実施形態では、吹出方向は外筒２に流入した空気の進行方向であり、外筒２の軸方向に相当する。以下、吹出方向上流及び吹出方向下流を単に上流および下流という場合がある。
【００１１】
本実施形態の場合、吹出口装置１は、外筒２に流入した空気を集中して吹き出す集中状態と、拡散して吹き出す拡散状態とを有している。集中状態では、運転者のハンドルの把持位置等、車室内の所望の場所にピンポイントで空気を集中させることができる。一方、拡散状態では、車室内全体の温度を下げたいときや乗員が全身で風を浴びたいとき等、車室内の広範囲に空気を拡散させることができる。なお、本実施形態では、集中状態及び拡散状態は、いずれかの状態にオン・オフ的に切り替わるのではなく、吹出される空気が最も集中した状態から最も拡散した状態にかけて連続的に変化する。しかしながら、集中状態及び拡散状態の二つの状態にオン・オフ的に切り替わる構成や、集中状態及び拡散度合いの異なる複数の拡散状態を有し、これらの状態に段階的に切り替わる構成も採用可能である。
【００１２】
本実施形態では、吹出口装置１は、内筒３、調整機構４、絞り開口部５及び内筒移動機構６が連動して作動することにより、吹き出される空気の状態を集中状態と拡散状態との間で変化させる。これらの構成について、以下で説明する。
【００１３】
外筒２は、吹出口装置１の外形を画定する筒状の部材である。送風源から供給された空気は、上流側開口２ａから外筒２の内部に流入し、下流側開口２ｂから外筒２の外部へと吹き出される。
【００１４】
本実施形態では外筒２は円筒形状を有しているが、円筒形状の他、楕円や多角形等の筒状形状を有していてもよい。また、本実施形態では上流側開口２ａから下流側開口２ｂにかけて外筒２の内径は一定であるが、位置に応じて内径が異なる構成も採用可能である。例えば外筒２は樹脂材料により一体成型される。また、例えば外筒２は金属材料により形成される。
【００１５】
図６を併せて参照する。図６は集中状態における空気の流れを示す模式図であり、吹出口装置１の断面を概略的に示している。外筒２は、その内面２２に形成された螺旋状のリブ２１を有している。リブ２１は、調整機構４よりも下流側において、内筒３を囲むように配置されている。リブ２１により外筒２に流入した空気は螺旋状の流れとなって吹き出される。なお、図６等に示したリブ２１の螺旋の軸方向に対する傾きは例示であって、空気を螺旋状に流すための適切な傾きが選ばれてよい。
【００１６】
内筒３は、外筒２に流入した空気を集中させるための筒状の部材であり、本実施形態では外筒２の内側に外筒２と同軸で配置されている。外筒２に流入した空気は、内筒３を通過することで、開口３ａから吹出方向に直線的に吹き出される。なお、外筒２と内筒３が同軸で配置されるとは、互いの軸中心が一致するものに限らず実質的に同軸である者も含む。例えば、正面視で外筒２の軸中心が内筒３の開口３ａを通過するように、外筒２及び内筒３が配置されてもよい。
【００１７】
本実施形態では内筒３は円筒形状を有しているが、円筒形状の他、楕円や多角形等の筒状形状を有していてもよい。また、本実施形態では上流側開口２ａから下流側開口２ｂにかけて外筒２の内径は一定であるが、位置に応じて内径が異なる構成も採用可能である。例えば外筒２は樹脂材料により一体成型される。また、例えば外筒２は金属材料により形成される。
【００１８】
＜調整機構＞
調整機構４は、集中状態と拡散状態の間で外筒２に流入した空気の流れを調整可能な機構である。本実施形態では、調整機構４は外筒２の内側、かつ、吹出方向で内筒３よりも上流側に設けられている。
【００１９】
調整機構４は、後述の機構により、集中状態ときは外筒２に流入した空気を内筒３の内側に誘導し、拡散状態のときは外筒２に流入した空気をそのまま吹き出させる。これにより、集中状態のときは、外筒２に流入した空気は内筒３の内側を通過して吹き出されるので、吹出口装置１はより集中した空気を吹き出すことができる。また、本実施形態の場合、内筒３の下流側には操作部等の空気の流れの妨げたなるものが配置されないため、より効果的に集中した空気が吹き出される。一方、拡散状態のときは、外筒２に流入した空気は内筒３の内側及び外側を通過して吹き出されるので、吹出口装置１は集中状態よりも拡散した空気を吹き出すことができる。
【００２０】
図２に併せて図３、図４（Ａ）及び図４（Ｂ）を参照する。図３は拡散状態における外筒２の内部を示す側面図である。また、図４（Ａ）は集中状態における吹出口装置１の背面図、図４（Ｂ）は拡散状態における吹出口装置の背面図である。図４（Ａ）及び図４（Ｂ）は、吹出口装置１を吹出方向の上流側からみた図に相当する。
【００２１】
調整機構４は、複数の切替羽根４１１ないし４１６を有している。切替羽根４１１ないし４１６は、吹出方向に延びた形状をしており、外筒２の内側に周方向にわたってそれぞれ配置されている。また、切替羽根４１１ないし４１６は、吹出方向で、それぞれの上流側端部４１１ａないし４１６ａが周方向を軸として回動可能に支持されている。
【００２２】
本実施形態では、例えば切替羽根４１１はその上流側端部４１１ａにおいて周方向に互いに離間した回動軸４１１ｂ及び４１１ｃを有しており、回動軸４１１ｂ及び４１１ｃは外筒２の内面２２に設けられた受け部２２１ａ及び２２１ｂにそれぞれ回動可能に支持されている。切替羽根４１２ないし４１６も同様の構成を有している。また、本実施形態では６枚の切替羽根４１１ないし４１６が外筒２の周方向にわたって配置され、背面視で内筒を取り囲むように配置されているが、切替羽根の枚数は５枚以下又は７枚以上であってもよい。また、本実施形態では受け部２２１ａないし２２１ｆは外筒２の上流側開口２ａに近接して設けられているが、上流側開口２ａよりも下流で外筒２の内面に設けられてもよい。
【００２３】
切替羽根４１１ないし４１６は、それぞれの上流側端部４１１ｄないし４１６ｄにより調整機構４の下流側に空気を導入する導入開口４ａを形成する。導入開口４ａは、切替羽根４１１ないし４１６の回動によりその開口の大きさを連続的に切り替えることができる。
【００２４】
調整機構４は、複数の切替羽根４１１ないし４１６のそれぞれを回動させる複数の開閉アーム４２１ないし４２６を有する。開閉アーム４２１ないし４２６は内筒３から径方向外側に向かってそれぞれ延び、切替羽根４１１ないし４１６にそれぞれ設けられた孔４１１ｆないし４１６ｆを貫通して設けられている。後述の構成により内筒３が軸方向に移動すると開閉アーム４２１ないし４２６もそれに伴って移動し、開閉アーム４２１ないし４２６に付勢された切替羽根４１１ないし４１６が回動する。つまり、内筒３の軸方向の移動に応じて調整機構４の導入開口４ａが変化する。本実施形態の場合、内筒３が上流側に移動すると導入開口４ａが大きくなり、下流側に移動すると導入開口４ａが小さくなる。なお、内筒３の軸方向の移動は回転体５２の回転に応じて生じる。この機構については＜内筒移動機構＞の欄で詳しく説明する。
【００２５】
例えば、図４（Ａ）に示すように、集中状態のときはそれぞれの上流側端部４１１ｄないし４１６ｄが内筒３を囲むように位置している。そのため、導入開口４ａの大きさは内筒３の開口の大きさに対応する（導入開口４ａ１）。これにより、集中状態のときは、調整機構４は外筒２に流入した空気の大部分（又は全て）を内筒３の内側に誘導することができる。本実施形態では、切替羽根４１１ないし４１６は、集中状態においてそれらの側端部と隣接する切替羽根の側端部とが互いに離間するように設けられている。しかしながら、切替羽根４１１ないし４１６が、集中状態においてそれらの側端部と隣接する切替羽根の側端部とが互いに当接、あるいは重複するように設けられてもよい。
【００２６】
また、本実施形態では、調整機構４及び内筒３は、集中状態においてそれぞれの一部が側面視で互いに重なって配置されている。しかしながら、調整機構４及び内筒３は、集中状態において側面視で互いに重ならず、内筒３の上流側の端部と調整機構４の下流側の端部とが離間して配置されてもよい。
【００２７】
一方、例えば図４（Ｂ）に示すように、拡散状態のときはそれぞれの上流側端部４１１ｄないし４１６ｄが内筒３よりも径方向で外側に位置している。そのため、導入開口４ａの大きさは内筒３の開口の大きさよりも大きくなる（導入開口４ａ２）。これにより、拡散状態のときは、調整機構４は外筒２に流入した空気を内筒３の内側及び外側に導入することができる。
【００２８】
さらに、導入開口４ａの大きさは、切替羽根４１１ないし４１６の回動により導入開口４ａ１と導入開口４ａ２との間で連続的に変化する。導入開口４ａの大きさが大きくなるにしたがい、外筒２に流入した空気が調整機構４の下流で内筒３の内側を通過する空気の割合が少なくなり、内筒３の外側を通過する空気の割合が多くなるので、より拡散された空気が吹出口装置１から吹き出される。したがって、調整機構４は切替羽根４１１ないし４１６の回動により吹出口装置１から吹き出される空気の拡散度合いを調整することができる。
【００２９】
＜絞り開口部＞
図２、図５（Ａ）及び図５（Ｂ）を参照する。図５（Ａ）は集中状態における吹出口装置の正面図であって回転体を外した状態の図、図５（Ｂ）は拡散状態における吹出口装置の正面図であって回転体を外した状態の図である。
【００３０】
外筒２の下流側には絞り開口部５が設けられている。絞り開口部５は、外筒２の下流側開口２ｂとともに吹出口装置１の吹出口を構成しており、吹出口装置１から空気が吹き出される際に吹き出し口の開口を絞るためのものである。本実施形態では調整機構４により吹出口装置１から吹き出される空気の拡散及び集中を調整している。それに加えて絞り開口部５が吹き出し口の開口の大きさを調整することにより、より効果的に吹出口装置１から吹き出される空気の拡散及び集中を行うことができる。
【００３１】
また、絞り開口部５は、吹出口装置１が車両のインストルメントパネル等に取り付けられた場合に車室内側に露出するため、吹出口装置１の意匠面を兼ねている。本実施形態では、絞り開口部５は下流側開口２ｂを覆うように設けられ、外筒２に絞り開口部５が外嵌めされている。また、絞り開口部５は、羽根受け部５１と、回転体５２と、複数の絞り羽根５３１ないし５３７とを含む。
【００３２】
羽根受け部５１は、絞り羽根５３１ないし５３７を回動可能に支持するための部材であり、外筒２に外嵌めされて設けられている。羽根受け部５１は、下流側開口２ｂを塞ぐように設けられる羽根受け面５１１と、羽根受け面の外周から上流側に延び、外筒２の側面の下流側端部を覆うように設けられる側面５１２を有する。羽根受け面５１１は、その中央に形成される開口５１１ａと、開口５１１ａの外側で周方向に離間して設けられ、絞り羽根５３１ないし５３７のそれぞれを回動可能に支持する複数の支持部５１３ａないし５１３ｇとを有する。
【００３３】
回転体５２は、羽根受け部５１の周に沿って摺動可能であり、羽根受け部５１対して回転することにより絞り羽根５３１ないし５３７を回動させるための部材である。回転体５２は、羽根受け部５１を下流側から覆うように設けられている。また、回転体５２は、羽根受け面５１１と対向する底面５２１と、底面５２１の外周から上流側に延び羽根受け部５の側面５１２の外側に配置される側面５２２とを有している。
【００３４】
回転体５２は絞り開口部５の操作部として機能し、ユーザが回転体を操作すると絞り開口部５は回転体５２の操作量（回転量）に応じた絞り開口を形成する。回転体５２は絞り羽根５３１ないし５３７のそれぞれに対応する駆動部５２３ａないし５２３ｇを有しており、回転体５２の回転に応じて駆動部５２３ａないし５２３ｇが絞り羽根５３１ないし５３７を回動させる。本実施形態では、駆動部５２３ａないし５２３ｇは回転体５２の羽根受け部５１を向く面から吹出方向上流に向かって突出するピン状の部材である。
【００３５】
絞り羽根５３１ないし５３７は、それぞれ支持部５１３ａないし５１３ｇを回動中心として開口５１１ａを出入りするように回動し、回動量に応じた大きさの絞り開口５ａを形成する。本実施形態では、絞り羽根５３１ないし５３７には、対応する支持部５１３ａないし５１３ｇに支持される被支持部５３１ａないし５３７ａがそれぞれ設けられる。また本実施形態では、絞り羽根５３１ないし５３７には、対応する駆動部５２３ａないし５２３ｇがその内部を貫通する駆動孔５３１ｂないし５３７ｂがそれぞれ設けられる。回転体５２が回転すると、絞り羽根５３１ないし５３７はそれぞれ駆動部５２３ａないし５２３ｇに付勢されて支持部５１３ａないし５１３ｇを回動中心に回動する。これにより、回転体５２の回転に応じた絞り羽根５３１ないし５３７の位置が定まるので、絞り羽根５３１ないし５３７は回転体５２の回転に応じた絞り開口５ａを形成する。なお、本実施形態では７枚の絞り羽根５３１ないし５３７が設けられているが、枚数は７枚の他、６枚以下又は８枚以上であってもよい。
【００３６】
集中状態のときは図５（Ａ）に示すように内筒３の開口３ａに対応する絞り開口５ａ（５ａ１）が形成される。本実施形態では、集中状態のときの絞り開口５ａが最小開口５ａ１である。集中状態ではこの絞り開口５ａ（最小開口５ａ１）から吹出口装置１内の空気が吹き出されるので、吹出口装置１はより集中した空気を吹き出すことができる。本実施形態では、最小開口５ａ１の大きさは内筒３の開口３ａの大きさに対応している。これにより、内筒３を通過した空気がより直線的に吹出口装置１の外部に吹き出される。なお、最小開口５ａ１の大きさは内筒３の開口以上の大きさであってもよく、内筒３の開口以下の大きさであってもよい。さらに、最小開口５ａ１を全閉状態とする構成も採用可能である。このような構成により、吹出口装置１は集中状態及び拡散状態に加え、車室内に空気を吹き出さない遮断状態も有することができる。
【００３７】
一方、拡散状態のときは、例えば図５（Ｂ）で示すように羽根受け面５１１の開口５１１ａよりも大きな絞り開口５ａ（５ａ２）が形成される。拡散状態では、絞り開口５ａは絞り開口５ａ１の大きさから絞り開口５ａ２の大きさまでの範囲で回転体５２の回転に応じた大きさとなる。これにより回転体５２の回転に応じた拡散度合いの空気を吹き出すことができる。
【００３８】
図５（Ａ）の状態において回転体５２を反時計回りに回転させると、複数の絞り羽根５３１ないし５３７はそれぞれ対応する駆動部５２３ａないし５２３ｇに付勢され、支持部５１３ａないし５１３ｇを回動中心に時計回りに回動し、図５（Ｂ）の状態になる。一方、図５（Ｂ）の状態において回転体５２を時計回りに回転させると、複数の絞り羽根５３１ないし５３７はそれぞれ対応する駆動部５２３ａないし５２３ｇに付勢され、支持部５１３ａないし５１３ｇを回動中心に時計回りに回動し、図５（Ａ）の状態になる。すなわち、本実施形態では、回転体５２を時計回りに回転させると絞り開口５ａが絞られ、回転体５２を反時計回りに回転させると絞り開口５ａが拡径する。
【００３９】
＜内筒移動機構＞
再び図２及び図３を参照し、内筒移動機構６について説明する。内筒移動機構６は、回転体５２の回転に応じて内筒３を軸方向に移動可能な機構である。上述のように、絞り開口５ａは回転体５２の回転に応じて変化し、導入開口４ａは内筒３の軸方向の移動に応じて変化する。したがって、内筒移動機構６による内筒３の軸方向の移動により、絞り開口部５による絞り開口５ａの調整と、調整機構４による導入開口４ａの調整とを連動させることができる。
【００４０】
内筒移動機構６は、内筒３から径方向に延びる支持アーム６１１ないし６１３と、回転体５２から上流側へ延出する延出部６２１ないし６２３と、支持アーム６１１ないし６１３を下流側に付勢する弾性部材６３１ないし６３３とを有している。支持アーム６１１ないし６１３は内筒３を軸方向に移動可能に支持するアームであり、一端部において内筒３を支持し、他端部６１１ａないし６１３ａが外筒２にの側面に軸方向に移動可能に支持されている。弾性部材６３１ないし６３３は例えばバネである。
【００４１】
本実施形態では支持アーム６１１ないし６１３の他端部６１１ａないし６１３ａが外筒２の側面よりも外側に位置している。つまり、支持アーム６１１ないし６１３は外筒２の側面を貫通して設けられている。例えば外筒２の側面には支持アーム６２１ないし６２３が軸方向に通過可能な長穴が設けられている。
【００４２】
延出部６２１ないし６２３は、回転体５２の側面５２２の上流側の縁から延出しており、周方向で支持アーム６１１ないし６１３の他端部６２１ａないし６２３ａに対応する位置に設けられている。延出部６２１ないし６２３には、外筒２の軸方向に対して傾斜した傾斜部６２１ａないし６２３ａがそれぞれ設けられている。
【００４３】
他端部６１１ａないし６１３ａは弾性部材６３１ないし６３３によって下流側に付勢された状態で傾斜部６２１ａないし６２３ａに当接している。そのため、回転体５２が回転すると、他端部６１１ａないし６１３ａは当接している傾斜部６２１ａないし６２３ａの軸方向の位置に伴って軸方向に移動する。例えば、図２の状態から回転体５２が反時計回りに回転すると他端部６１１ａないし６１３ａは当接している傾斜部６２１ａないし６２３ａに押されて上流側へ移動する。また例えば、図３の状態から回転体５２が時計回りに回転すると他端部６１１ａないし６１３ａは付勢部材６３１ないし６３３に付勢されて傾斜部６２１ａないし６２３ａに追従するように下流側に移動する。このように回転体５２の回転により支持アーム６１１ないし６１３が軸方向に移動すると、支持アーム６１１ないし６１３に支持された内筒３も軸方向に移動する。
【００４４】
本実施形態では、絞り開口部５、内筒移動機構６、内筒３及び調整機構４の作動により、回転体５２が時計回りに回転するほど絞り開口５ａ及び導入開口４ａが小さくなる。吹き出される空気がより集中する。一方、回転体５２が反時計回りに回転するほど絞り開口５ａ及び導入開口４ａが大きくなり吹き出される空気がより拡散する。これにより、絞り開口５ａを絞る動作と調整機構４による集中状態への切り替えを連動させることができ、また、開口５ａを拡げる動作と調整機構４による拡散状態への切り替えを連動させることができる。したがって回転体５２の回転に応じた拡散度合いの空気を吹き出すことができる。また、ユーザが視認できる絞り開口５ａの大きさと、吹き出される空気の拡散度合いが対応するので、ユーザは直感に合わせて拡散度合いを調整することができる。
【００４５】
このために、絞り開口部５の開く程度と、調整機構４の開く程度とは一致していることが望ましい。すなわち、一方が最大なら他方が最大であり、一方が最小なら他方が最小となる。回転体５２の回動範囲は、駆動孔５３１ｂないし駆動孔５３７ｂの長さによって制限される。その回動範囲内で調整機構４の導入開口４ａが最大開口と最小開口との間で変化するように、内筒３を軸方向に移動させる延出部６２１ないし６２３の傾斜部６２１ａないし６２３ａの傾きが決定される。
【００４６】
＜作動時の空気の流れ＞
図６は集中状態における空気の流れを示す模式図であり、図７は拡散状態における空気の流れを示す模式図である。これらの図は、吹出口装置１の断面図を模式的に示したものであり、一部構成を省略している。
【００４７】
図６で示すように、集中状態では、調整機構４は導入開口４ａの大きさが内筒３の開口の大きさに対応するように導入開口４ａを調整する。これにより、外筒２の上流側開口２ａに流入した空気は矢印で示すように内筒３の内部に誘導される。このため、内筒３を通過した空気が下流側から吹き出される。したがって、吹出口装置１は、内筒３を通過してより集中した空気を演出することができる。また、本実施形態の場合、集中状態では絞り開口５ａも内筒３の開口３ａに対応した大きさとなるので、吹出口装置１は、より効果的に空気を集中させて吹き出すことができる。
【００４８】
図７で示すように、拡散状態では、調整機構４は導入開口４ａの大きさが内筒３の開口の大きさよりも大きくなるように導入開口４ａを調整する。これにより、外筒２の上流側開口２ａから流入した空気は矢印で示すように内筒３の内外を通過する。ここで、内筒３の内側を通過する空気は集中状態の時と同様に直線的に吹出口装置１の外部に吹き出される。一方、内筒３の外側を通過する空気は外筒の内面２２に形成された螺旋状のリブ２１によって螺旋状に流れながら吹出口装置１の外部に吹き出される。螺旋状に吹き出された空気は下流側に進みながら徐々に徐々に軸中心方向に流れ、内筒３から吹き出された空気と衝突するとこれらの空気が拡散する。したがって、吹出口装置１は、内筒３の内外を通過した空気を衝突させることによって吹き出した空気を効果的に拡散させることができる。
【００４９】
本実施形態では、外筒２の内面に螺旋状のリブ２１が設けられているが、外筒２を通過した空気が吹出口装置１の外部に吹き出された際に軸中心方向に流れる他の構成を採用してもよい。例えば、外筒２の内面２２の下流側開口２ｂに近接した位置に、軸方向中心に向かって傾斜したリブを周方向にわたって設けてもよい。また、外筒２の下流側開口２ｂ向かって外筒２の径を徐々に小さくしてもよい。
【００５０】
＜実施形態のまとめ＞
１．上記実施形態の吹出口装置は、
外筒（例えば2）と、
該外筒の内側に前記外筒と同軸で配置される内筒（例えば3）と、
前記外筒の内側、かつ、吹出方向で前記内筒よりも上流側に設けられ、前記外筒に流入した空気を集中して吹き出す集中状態と前記空気を拡散して吹き出す拡散状態との間で前記空気の流れを調整可能な調整機構（例えば4）と、を備え、
前記調整機構は、
前記集中状態のときは、前記外筒に流入した空気を前記内筒の内側に誘導し、
前記拡散状態のときは、前記外筒に流入した空気をそのまま吹き出させる、
ことを特徴とする。
【００５１】
この実施形態によれば、集中状態のときに空気が内筒に誘導され、内筒を通過することにより空気が集中されて吹き出されるので、吹出口装置はより効果的に空気を集中して吹き出すことができる。
【００５２】
２．上記実施形態の吹出口装置は、
前記外筒は、前記調整機構よりも下流側の内面に形成された螺旋状のリブ（例えば21）を有することを特徴とする請求項１に記載の吹出口装置。
【００５３】
この実施形態によれば、螺旋状に流れた空気が装置の外で軸中心方向に流れ、内筒を通過した空気と衝突することで、拡散状態においてより効果的に空気を拡散することができる。
【００５４】
３．上記実施形態の吹出口装置は、
前記外筒の吹出方向下流側端部に設けられた、操作部（例えば52）の操作量に応じた径の絞り開口（例えば5a）を形成する絞り開口部（例えば5）をさらに備え、
前記調整機構は、前記操作部の操作量に応じた調整量で、前記外筒に流入した空気を前記内筒の内側に誘導する
ことを特徴とする。
【００５５】
この実施形態によれば、絞り開口部による絞り開口の調整と、調整機構による空気の流れの調整を連動させることができる。
【００５６】
４．上記実施形態の吹出口装置は、
前記絞り開口部は、
前記外筒の周に沿って設けた羽根受け部（例えば51）と、
前記羽根受け部の周に沿って摺動可能に設けた、前記操作部として機能する回転体（例えば52）と、
前記羽根受け部に回動可能に支持され、前記回転体の回転に応じた径の絞り開口を形成する複数の絞り羽根（例えば531-537）と、を含む請求項３に記載の吹出口装置。
【００５７】
この実施形態によれば、絞り開口部により吹出口の開口を絞ることができるので、より空気を集中させることができる。
【００５８】
５．上記実施形態の吹出口装置は、
前記調整機構は、複数の切替羽根（例えば411-416）を有し、
前記複数の切替羽根は、
それぞれの吹出方向上流側端部が前記外筒の内面（例えば22）に周方向にわたって周方向を軸として回動可能に支持され、
それぞれの吹出方向下流側端部により前記調整機構の下流側に前記空気を導入する導入開口（例えば4a）を形成し、
前記絞り開口が小さくなる方向に前記回転体が回転するときは、前記導入開口が小さくなる方向に回動する、
ことを特徴とする。
【００５９】
この実施形態によれば、絞り開口を絞る動作と調整機構による集中状態への切り替えを連動させることができる。
【００６０】
６．上記実施形態の吹出口装置は、
前記回転体の回転により前記内筒を軸方向に移動可能な内筒移動機構（例えば6）をさらに備え、
前記複数の切替羽根は、前記内筒の軸方向の移動に応じて回動する、
ことを特徴とする。
【００６１】
この実施形態によれば、内筒を介して互いに離れた位置にある絞り開口部と調整機構との動作を連動させることができる。また、内筒自体が連動させるための部材として働くため部品点数を削減できる。
【００６２】
７．上記実施形態の吹出口装置は、
前記絞り開口の最小開口（例えば5a1）は、前記内筒の開口以上であることを特徴とする。
【００６３】
この実施形態によれば、絞り開口を最大限絞った状態でも集中した風を吹き出すことができる。
【００６４】
８．上記実施形態の吹出口装置は、
前記導入開口の最小開口（例えば4a1）は、前記内筒の開口と同じであることを特徴とする。
【００６５】
この実施形態によれば、切替羽根を最大限絞った場合でも内筒の開口以上になるので、効果的に空気を内筒に導入することができる。
【００６６】
９．上記実施形態の吹出口装置は、
前記内筒移動機構は、
一端部において前記内筒を支持し、他端部が前記外筒に軸方向に移動可能に支持される支持アーム（例えば621-623）と、
前記回転体から軸方向に延出し、軸方向に対して傾斜した傾斜部（例えば621a-623a）を有する延出部（例えば621-623）と、を含み、
前記他端部が前記傾斜部に当接し、
前記回転体の回転により前記傾斜部が前記他端部を軸方向に移動させる、
ことを特徴とする。
【００６７】
この実施形態によれば、開閉アームにより内筒の軸方向の移動と切替羽根の回動を連動させることができる。
【００６８】
１０．上記実施形態の吹出口装置は、
前記調整機構は、前記内筒から前記複数の切替羽根へそれぞれ延び、前記内筒の軸方向の移動により前記複数の切替羽根を回動させる複数の開閉アーム（例えば421-426）を備えることを特徴とする。
【符号の説明】
【００６９】
１  吹出口装置、２  外筒、３  内筒、４  調整機構、５  絞り開口部
【図１】
2020079680.tif 000003
【図２】
2020079680.tif 000004
【図３】
2020079680.tif 000005
【図４】
2020079680.tif 000006
【図５】
2020079680.tif 000007
【図６】
2020079680.tif 000008
【図７】
2020079680.tif 000009